(57)【要約】【課題】洗浄処理の終了通知を安価に行うことができるシステムを提供する。【解決手段】各オペレータの携帯するＩＤカード１３ａ，１３ｂにカードタグ（アクティブタグ）２３、液晶モニタ２６、スピーカ２７を設ける。洗浄装置１２にタグリーダライタ２０を設ける。洗浄装置１２のスタートスイッチ２１が操作された時に、各ＩＤカード１３ａ，１３ｂからの電波の強度等に基づき、洗浄装置１２からの距離が最短のＩＤカードを特定する。洗浄処理が終了したら、先に特定したＩＤカードを通信先に設定して、タグリーダライタ２０から終了通知情報を発信させる。ＩＤカードの液晶モニタ２６及びスピーカ２７で、終了通知情報を表すメッセージを表示する。ＩＤカードにアクティブタグを設け、洗浄装置にタグリーダライタを設けるだけでよいので、システムを安価に構成することができる。【選択図】図３
2009142458.tif 000002
【特許請求の範囲】
【請求項１】
使用済みの内視鏡にリプロセス処理を施すリプロセス装置を操作するオペレータによって携帯され、ＩＤ情報を記憶するアクティブ型のＲＦＩＤタグ、及び表示部を有する複数の携帯端末と、
前記リプロセス処理の進捗情報を取得し、前記ＲＦＩＤタグからの前記ＩＤ情報の読み取りと、前記ＲＦＩＤタグへの前記進捗情報の書き込みを行うタグリーダライタと、
前記タグリーダライタの動作を制御する制御装置とを備え、
前記表示部は、前記ＲＦＩＤタグに書き込まれた前記進捗情報を表示することを特徴とするリプロセス処理の進捗情報通知システム。
【請求項２】
前記進捗情報には、前記リプロセス処理の終了通知が含まれることを特徴とする請求項１記載のリプロセス処理の進捗情報通知システム。
【請求項３】
前記オペレータによって前記リプロセス装置のリプロセス処理開始指示がなされたことを検知する操作検知手段を備えており、前記制御装置は、前記リプロセス処理開始指示に応じて前記タグリーダライタに前記ＩＤ情報の読み取り処理を実行させることを特徴とする請求項１または２記載のリプロセス処理の進捗情報通知システム。
【請求項４】
前記リプロセス装置が複数台ある場合、前記タグリーダライタは、各リプロセス装置に設けられることを特徴とする請求項１ないし３いずれか１項記載のリプロセス処理の進捗情報通知システム。
【請求項５】
前記制御装置は、前記タグリーダライタの通信可能範囲に複数の携帯端末が存在する場合に、前記携帯端末からの電波の強度または到達時間の測定結果に基づいて、前記各携帯端末の中で通信距離が最短の携帯端末を特定する第１特定手段を備えており、
前記第１特定手段で特定された前記携帯端末を、前記タグリーダライタが設けられたリプロセス装置の前記進捗情報の送信先として設定することを特徴とする請求項４記載のリプロセス処理の進捗情報通知システム。
【請求項６】
前記タグリーダライタは、異なる位置に少なくとも３つ配置されており、
前記制御装置は、前記各タグリーダライタのそれぞれの通信可能範囲に存在する複数の前記携帯端末からの電波の強度または到達時間の測定結果に基づいて、前記携帯端末の位置を検出する位置検出手段と、
前記位置検出手段の検出結果に基づいて、前記リプロセス処理開始指示がなされた前記リプロセス装置からの距離が最短の前記携帯端末を特定する第２特定手段とを備えており、
前記第２特定手段で特定された前記携帯端末を、リプロセス処理開始指示がなされた前記リプロセス装置の前記進捗情報の送信先として設定することを特徴とする請求項３記載のリプロセス処理の進捗情報通知システム。
【請求項７】
前記制御装置は、前記ＩＤ情報の読み取り先の携帯端末に加えて、予め登録された他の携帯端末を前記進捗情報の送信先として設定することを特徴とする請求項１ないし６いずれか１項記載のリプロセス処理の進捗情報通知システム。
【請求項８】
前記ＩＤ情報は、前記携帯端末または前記オペレータのＩＤであることを特徴とする請求項１ないし７いずれか１項記載のリプロセス処理の進捗情報通知システム。
【請求項９】
前記表示部は、視覚的表示、音声、振動の少なくとも１つを使用して前記進捗情報を表示することを特徴とする請求項１ないし８いずれか１項記載のリプロセス処理の進捗情報通知システム。
【請求項１０】
前記携帯端末は、ネームプレート型であることを特徴とする請求項１ないし９いずれか１項記載のリプロセス処理の進捗情報通知システム。
【請求項１１】
前記進捗情報に基づいて、複数の前記リプロセス装置のそれぞれのリプロセス履歴を管理する履歴管理手段を備えていることを特徴とする請求項１ないし１０いずれか１項記載のリプロセス処理の進捗情報通知システム。
【発明の詳細な説明】
【技術分野】
【０００１】
本発明は、内視鏡のリプロセス処理の進捗情報をオペレータ等に通知するリプロセス処理の進捗情報通知システムに関するものである。
【背景技術】
【０００２】
医療機関では、内視鏡を利用した医療診断が盛んに行われている。医療診断で使用された内視鏡は、病気の感染を防ぐために内視鏡用の洗浄装置にセットされて洗浄・消毒処理される。
【０００３】
洗浄装置を用いて内視鏡を洗浄処理する際の処理条件は、内視鏡の種類や汚れ具合によって変わる。処理条件とは、例えば、工程（洗浄・消毒）の種類及び組合せ、各工程の処理時間などである。このため、洗浄装置には、上記処理条件が異なる複数の洗浄プログラムが用意されている。このことを受けて、内視鏡の種類や汚れ具合等に応じて自動的に最適な洗浄プログラムをセット可能な洗浄装置が提案されている（特許文献１及び２参照）。
【０００４】
このような洗浄装置を用いて洗浄処理を行った際には、どの内視鏡を、誰が、いつ、どの洗浄装置で洗浄処理を行ったのかという洗浄処理の履歴を明確するために、洗浄処理の履歴情報の記憶・管理を行っている。例えば、内視鏡、オペレータのネームプレート、洗浄装置にそれぞれパッシブタグを設けて、洗浄装置毎に設置したタグリーダによって、内視鏡ＩＤ、オペレータＩＤ、装置ＩＤを取得して、洗浄履歴を管理する洗浄履歴管理システムが知られている（特許文献３参照）。
【特許文献１】特開２００６−５１０７３号公報
【特許文献２】特開２００２−２６３０６６号公報
【特許文献３】特開２００１−３２７４５９号公報（特許第３８５４０３５号公報）
【発明の開示】
【発明が解決しようとする課題】
【０００５】
ところで、上記特許文献３に記載されているように、洗浄処理の履歴情報の記録・管理は自動的に行われているのに対して、洗浄処理の終了時間の把握は個々のオペレータに任されているのが実情である。内視鏡の洗浄処理中に、オペレータは、洗浄装置から離れた場所で他の作業を行っている場合が多く、洗浄処理が終了したことに気が付かない場合が多い。特に上記特許文献１及び２に記載の洗浄システムのように自動的に洗浄プログラムが変わる場合には、オペレータが洗浄処理の終了予定時間を把握することは困難である。さらに、洗浄装置の台数が増すほど、その困難性は増す。オペレータが終了に気が付かないまま、内視鏡が洗浄装置内に放置されると、予定していた検査の準備が遅れて、患者を待たせてしまうおそれがある。また、洗浄処理後、内視鏡が洗浄装置内に放置される時間が長いと、端的に内視鏡の稼働率も低下するため、非効率である。
【０００６】
このため、オペレータに洗浄処理の終了通知を行う必要があり、例えば上記特許文献３の洗浄履歴管理システムでは、オペレータのネームプレートに設けられているパッシブタグを利用して、オペレータに対し洗浄処理の終了通知を行う方法が考えられる。しかしながら、パッシブタグは通信可能距離が短いため、オペレータが洗浄装置から離れてしまうと、終了通知を行えなくなるという問題がある。
【０００７】
そこで、オペレータＩＤとオペレータの携帯電話機のメールアドレスとを関連付けたデータベースを設ける方法が考えられる。上記特許文献３の洗浄履歴管理システムでは、洗浄開始時にオペレータＩＤと装置ＩＤとを取得しているので、上記データベースを設ければ、オペレータの携帯電話機に洗浄処理の終了通知を行うことができる。しかしながら、携帯電話機を使う場合には、その通信料を医療機関が負担する必要があり、運用コストが高くなるという問題が生じる。
【０００８】
本発明は上記問題を解決するためになされたものであり、洗浄処理の終了通知を安価な構成で行うことができる洗浄処理の進捗情報通知システムを提供することを目的とする。
【課題を解決するための手段】
【０００９】
上記問題を解決するため、本発明の洗浄処理の進捗情報通知システムは、使用済みの内視鏡にリプロセス処理を施すリプロセス装置を操作するオペレータによって携帯され、ＩＤ情報を記憶するアクティブ型のＲＦＩＤタグ、及び表示部を有する複数の携帯端末と、前記リプロセス処理の進捗情報を取得し、前記ＲＦＩＤタグからの前記ＩＤ情報の読み取りと、前記ＲＦＩＤタグへの前記進捗情報の書き込みを行うタグリーダライタと、前記タグリーダライタの動作を制御する制御装置とを備えたことを特徴とする。なお、リプロセス処理とは、使用済みの内視鏡を再使用可能な状態にするための処理であり、洗浄処理、消毒処理、滅菌処理の少なくともいずれか一つを含む。
【００１０】
前記進捗情報には、前記リプロセス処理の終了通知が含まれることが好ましい。また、前記オペレータによって前記リプロセス装置のリプロセス処理開始指示がなされたことを検知する操作検知手段を備えており、前記制御装置は、前記リプロセス処理開始指示に応じて前記タグリーダライタに前記ＩＤ情報の読み取り処理を実行させることが好ましい。
【００１１】
前記リプロセス装置が複数台ある場合、前記タグリーダライタは、各リプロセス装置に設けられることが好ましい。また、前記制御装置は、前記タグリーダライタの通信可能範囲に複数の携帯端末が存在する場合に、前記携帯端末からの電波の強度または到達時間の測定結果に基づいて、前記各携帯端末の中で通信距離が最短の携帯端末を特定する第１特定手段を備えており、前記第１特定手段で特定された前記携帯端末を、前記タグリーダライタが設けられたリプロセス装置の前記進捗情報の送信先として設定することが好ましい。これにより、複雑な計算処理等を行うことなく、タグリーダライタからの通信距離が最短となる携帯端末を判定することができるので、システムをより簡易且つ安価に構成することができる。
【００１２】
前記タグリーダライタは、異なる位置に少なくとも３つ配置されており、前記制御装置は、前記各タグリーダライタのそれぞれの通信可能範囲に存在する複数の前記携帯端末からの電波の強度または到達時間の測定結果に基づいて、前記携帯端末の位置を検出する位置検出手段と、前記位置検出手段の検出結果に基づいて、前記リプロセス処理開始指示がなされた前記リプロセス装置からの距離が最短の前記携帯端末を特定する第２特定手段とを備えており、前記第２特定手段で特定された前記携帯端末を、リプロセス処理開始指示がなされた前記リプロセス装置の前記進捗情報の送信先として設定することが好ましい。これにより、各洗浄装置にそれぞれタグリーダライタを設ける必要が無くなるため、洗浄装置を多数有している大規模病院等において、システムのコストアップを防止することができる。
【００１３】
前記制御装置は、前記ＩＤ情報の読み取り先の携帯端末に加えて、予め登録された他の携帯端末を前記進捗情報の送信先として設定することが好ましい。また、前記ＩＤ情報は、前記携帯端末または前記オペレータのＩＤであることが好ましい。
【００１４】
前記表示部は、視覚的表示、音声、振動の少なくとも１つを使用して前記進捗情報を表示することが好ましい。また、前記携帯端末は、ネームプレート型であることが好ましい。また、前記進捗情報に基づいて、複数の前記リプロセス装置のそれぞれのリプロセス履歴を管理する履歴管理手段を備えていることが好ましい。
【発明の効果】
【００１５】
本発明のリプロセス処理の進捗情報通知システムは、オペレータにより携帯される携帯端末にアクティブ型のＲＦＩＤタグを設けて、タグリーダライタにＲＦＩＤタグからのＩＤ情報の読み取りと、ＲＦＩＤタグへのリプロセス処理の進捗情報の書き込みを行わせ、書き込まれた進捗情報を携帯端末の表示部に表示させるようにしたので、携帯電話機等を用いることなくオペレータに洗浄処理の進捗情報を通知することができる。ＲＦＩＤタグは携帯電話機よりも安価であり、通信料も掛からないため、本発明の通知システムは安価に構成することができ、さらに運用コストも低く抑えられる。
【発明を実施するための最良の形態】
【００１６】
図１に示す洗浄システム１０（リプロセス処理の進捗情報通知システム）は、大別して、内視鏡１１を洗浄する洗浄装置１２と、洗浄装置１２を使用するオペレータＡ、Ｂに携帯されるネームプレート型のＩＤカード１３ａ、１３ｂ（携帯端末）とから構成されている。この洗浄システム１０は、洗浄装置１２とＩＤカード１３ａ，１３ｂとの間で無線通信を行って、オペレータＡ，Ｂへの洗浄処理の終了通知情報１５（進捗情報）の通知を行うシステムである。
【００１７】
洗浄装置１２は、括弧付き数字（１）〜（３）で示すように、オペレータＡ，Ｂのいずれかにより洗浄開始操作がなされたときに、この操作を行ったオペレータのＩＤカードに対して、オペレータの固有識別情報であるオペレータＩＤ１４の（１）配信要求（ＩＤリクエスト）を行い、このリクエストに応じてＩＤカードから発信されたオペレータＩＤ１４を受信する。そして、洗浄装置１２は、洗浄処理が終了したときに、オペレータＩＤ１４の送信元のＩＤカードを終了通知情報１５の送信先として設定した（３）終了通知情報１５を発信する。終了通知情報１５には、送信先として設定されたＩＤカードのオペレータＩＤ１４が加えられており、このオペレータＩＤ１４に対応するＩＤカードで終了通知情報１５が受信される。
【００１８】
洗浄装置１２は、それぞれ略箱形状の洗浄装置本体（以下、単に本体という）１７と、この本体１７の上面に設けられた洗浄槽１８、操作パネル１９、及びタグリーダライタ２０とから構成されている。
【００１９】
洗浄槽１８は、図示しない蓋により開閉される。検査で使用された内視鏡１１は、洗浄槽１８内にセットされた後、洗浄処理が施される。洗浄処理は、大別して洗浄工程、消毒工程、すすぎ工程の計３つの工程に分かれている。各工程ではそれぞれ異なる処理液が洗浄槽１８に注液されるとともに、内視鏡１１の内部に供給されることで、内視鏡１１に洗浄処理、消毒処理、すすぎ処理が施される。また、洗浄槽１８には、内視鏡１１が洗浄槽１８内にセットされているか否かを検知するための検知センサ１８ａが設けられている。
【００２０】
操作パネル１９には、電源スイッチ（図示せず）、スタートスイッチ２１（図３参照）等が設けられている。電源スイッチは、洗浄装置１２の電源をＯＮ・ＯＦＦする際に操作される。スタートスイッチ２１は、洗浄処理を開始する際に操作される。
【００２１】
タグリーダライタ２０は、アクティブ型のＲＦＩＤタグ（アクティブタグ）やパッシブ型のＲＦＩＤタグ（パッシブタグ）との間で各種情報を無線（電波）により送受信する。具体的には、タグリーダライタ２０は、ＩＤカード１３ａ，１３ｂに設けられたカードタグ２３（図２及び図３参照）から発信されるオペレータＩＤ１４を受信するとともに、洗浄処理の終了通知情報１５を発信する。また、タグリーダライタ２０は、内視鏡１１に設けられている内視鏡タグ１１ａ（アクティブタグ）から、内視鏡１１の固有識別情報を示す内視鏡ＩＤを受信する。この内視鏡ＩＤは、洗浄装置１２の洗浄履歴情報として用いられる。
【００２２】
図２及び図３に示すようにＩＤカード１３ａ，１３ｂには、カードタグ２３、ＣＰＵ２４、メモリ２５、液晶モニタ２６（表示部）、スピーカ２７（表示部）、操作キー２８、及びこれら各部に電力を供給する電池２９等が設けられている。
【００２３】
カードタグ２３は、アクティブタグであり、上述したようにタグリーダライタ２０との間で無線による情報の送受信を行う。カードタグ２３は、パッシブタグと異なり、電池２９から供給される電力で動作するため、タグリーダライタ２０と約数十ｍの距離（パッシブタグは数十ｃｍ程度）で通信が可能である。
【００２４】
カードタグ２３には、無線による情報の送受信を行うためのアンテナ２３ａと、オペレータＩＤ１４を記憶したメモリ２３ｂとが設けられている。そして、カードタグ２３は、タグリーダライタ２０からのＩＤリクエストに応じて、メモリ２３ｂに記憶されているオペレータＩＤ１４を重畳した電波をアンテナ２３ａから発信する。これにより、タグリーダライタ２０で各ＩＤカード１３ａ，１３ｂのオペレータＩＤ１４が受信される。また、カードタグ２３は、タグリーダライタ２０から送信される終了通知情報１５をアンテナ２３ａで受信する。
【００２５】
ＣＰＵ２４は、ＩＤカード１３ａ，１３ｂの各部の動作を統括的に制御する。メモリ２５には、カードタグ２３で終了通知情報１５を受信した際に、その旨を表す文字メッセージ３１を液晶モニタ２６で画面表示するための文字データ２５ａと、音声メッセージ３２をスピーカ２７で音声表示するための音声データ２５ｂとが記憶されている。操作キー２８は、ＩＤカード１３ａ，１３ｂの各種設定を行う際に操作される。
【００２６】
このようにＩＤカード１３ａ，１３ｂにカードタグ２３を設けることで、パッシブタグを設けた場合と異なり、ＩＤカード１３ａ，１３ｂを洗浄装置１２のタグリーダライタ２０に近づけることなく、タグリーダライタ２０との間で無線通信を行うことができる。このため、本実施形態では、洗浄装置１２の使用者（オペレータＡ，Ｂ）が誰であるかを自動的に特定して、特定したオペレータのＩＤカードへ終了通知情報１５を送信することができる。
【００２７】
図３に示すように、洗浄装置１２にはＣＰＵ３４とメモリ３５とが設けられている。ＣＰＵ３４は、メモリ３５などから各種プログラムを読み出し、読み出したプログラムを逐次実行することにより、洗浄装置１２の各部を統括的に制御する。
【００２８】
タグリーダライタ２０には、無線による情報の送受信を行うためのアンテナ２０ａと、電波受信状態検出回路（以下、単に検出回路という）２０ｂとが設けられている。検出回路２０ｂは、アンテナ２０ａで受信される各ＩＤカード１３ａ，１３ｂからの電波の強度を検出する。この電波強度は、例えば、アンテナ２０ａで受信した電波信号を検波し、この検波信号を整流し、さらにこの整流信号を積分して得られた直流電圧より求めることができる。なお、電波強度の検出方法は、これに限定されるものではなく、周知の各種方法を用いることができる。
【００２９】
電波強度の検出を行う際に、各ＩＣカード１３ａ，１３ｂのカードタグ２３からそれぞれ発信される電波を区別する方法としては、例えば、アンチコリジョン機能を備えるタグリーダライタ２０及びカードタグ２３を用いる方法がある。アンチコリジョン機能とは、タグリーダライタ２０が複数のカードタグ２３と同時に通信を行うことができる機能である。また、アンチコリジョン機能を備えるタグリーダライタ２０及びカードタグ２３を用いる代わりに、各ＩＣカード１３ａ，１３ｂのカードタグ２３のそれぞれから発信される電波の周波数を異ならせておき、周波数別に電波強度の検出を行うようにしてもよい。検出回路２０ｂによる検出結果は、ＣＰＵ３４に入力される。
【００３０】
ＣＰＵ３４は、上述のプログラムを実行することにより、操作検知部３７（操作検知手段）、洗浄処理制御部３８、進捗情報取得部３９、タグリーダライタ制御部４０（制御装置）、履歴管理部４１（履歴管理手段）として機能する。操作検知部３７は、操作パネル１９のスタートスイッチ２１等の各種スイッチが操作されたことを検知する。
【００３１】
洗浄処理制御部３８は、洗浄槽１８、処理液給排水装置（図示せず）、及び乾燥装置（図示せず）等からなる洗浄ユニット４２の動作を制御する。この洗浄処理制御部３８は、操作検知部３７でスタートスイッチ２１が操作されたことを検知したときに、洗浄ユニット４２を作動させる。そして、洗浄処理制御部３８は、メモリ３５から読み出した洗浄プログラムに基づき、洗浄ユニット４２を駆動して洗浄処理を行う。なお、洗浄プログラムは、内視鏡１１の種類、検査項目、内視鏡１１の汚れ具合等に最も適したものが選択される。
【００３２】
進捗情報取得部３９は、図示しない時計回路等を有しており、洗浄装置１２による洗浄処理の開始時刻、及び終了時刻等を取得する。例えば、開始時刻は、スタートスイッチ２１が操作された時刻であり、終了時刻は、洗浄処理が終了した時刻である。これらの各情報は、例えば操作パネル１９からの操作信号の入力や、洗浄処理制御部３８による洗浄ユニット４２の制御状況を監視することで取得することができる。そして、進捗情報取得部３９は、終了時刻を取得したら、タグリーダライタ制御部４０に対して終了通知情報１５を出力する。なお、取得された開始時刻、及び終了時刻は、メモリ３５等に一時的に記憶される。
【００３３】
タグリーダライタ制御部４０は、タグリーダライタ２０による各種情報の送受信を制御する。このタグリーダライタ制御部４０には、特定部４３（第１特定手段）が設けられている。特定部４３は、スタートスイッチ２１が操作されたときに、タグリーダライタ２０との通信可能範囲内に複数のＩＤカード１３ａ，１３ｂが存在する場合において、洗浄装置１２からの距離が最短となるＩＤカードを特定する。この特定は、上述の検出回路２０ｂから入力される各ＩＤカード１３ａ，１３ｂごとの電波強度の検出結果に基づき行われる。以下、オペレータＡが洗浄装置１２を使用する場合（図１参照）を例に挙げて説明を行う。
【００３４】
オペレータＡによりスタートスイッチ２１が操作されたことが操作検知部３７で検知されると、タグリーダライタ制御部４０は、タグリーダライタ２０から各ＩＤカード１３ａ、１３ｂに対してＩＤリクエストを発信させる。これにより、ＩＤリクエストに応じて各ＩＤカード１３ａ，１３ｂから発信されるオペレータＩＤ１４（電波）がタグリーダライタ２０で受信される。
【００３５】
このときに、オペレータＡは洗浄装置１２（タグリーダライタ２０）に最も近い位置にいるため、ＩＤカード１３ａとの距離が最短となる。この場合には、タグリーダライタ２０がＩＤカード１３ａから受信した電波の強度が最も高くなる。従って、特定部４３は、スタートスイッチ２１の操作時における各ＩＤカード１３ａ，１３ｂからの電波強度を比較することで、ＩＤカード１３ａが最短の距離にあることを特定することができる。タグリーダライタ制御部４０は、ＩＤカード１３ａとの距離が最短になると特定されたら、ＩＤカード１３ａのオペレータＩＤ１４をメモリ３５等に一時的に記憶し、ＩＤカード１３ｂのオペレータＩＤ１４は破棄する。
【００３６】
また、特定部４３は、タグリーダライタ２０との距離が最短となる内視鏡１１、つまり、洗浄装置１２にセットされた内視鏡１１を特定する。そして、タグリーダライタ制御部４０は、洗浄装置１２内の内視鏡ＩＤも同様にメモリ３５等に一時的に記憶させる。この特定方法は、上述のＩＤカードの特定方法と同じであるため、説明は省略する。
【００３７】
タグリーダライタ制御部４０は、進捗情報取得部３９より終了通知情報１５が入力されたときは、先に一時的に記憶したオペレータＩＤ１４に対応するＩＤカード１３ａを洗浄装置１２の終了通知情報１５の送信先として設定する。具体的には、上述したように終了通知情報１５にＩＤカード１３ａ（オペレータＡ）のオペレータＩＤ１４を加える（図１参照）。次いで、タグリーダライタ制御部４０は、タグリーダライタ２０から終了通知情報１５を送信させる。タグリーダライタ２０から発信された終了通知情報１５は、各ＩＤカード１３ａ，１３ｂのカードタグ２３で受信されるが、この終了通知情報１５に加えられているオペレータＩＤ１４に基づき、ＩＤカード１３ｂは受信した終了通知情報１５を破棄する。
【００３８】
ＩＤカード１３ａのＣＰＵ２４は、カードタグ２３で終了通知情報１５を受信したら、メモリ２５から文字データ２５ａ及び音声データ２５ｂを読み出して、液晶モニタ２６に終了通知情報１５を表す文字メッセージ３１を表示させるとともに、スピーカ２７に終了通知情報１５を表す音声メッセージ３２を表示させる（図２参照）。これにより、オペレータＡは、文字メッセージ３１及び音声メッセージ３２から、洗浄処理が終了したことを把握することができる。
【００３９】
履歴管理部４１は、洗浄装置１２の洗浄履歴を管理するものであり、洗浄装置１２で洗浄処理がなされたら、その洗浄履歴情報をメモリ３５内の洗浄履歴テーブル４５に記憶する。図４に示すように、洗浄履歴テーブル４５に記憶される洗浄履歴情報は、洗浄処理がなされた日付と、先にメモリ３５に記憶された洗浄処理の開始時刻及び終了時刻、洗浄処理が施された内視鏡１１の内視鏡ＩＤ、及び洗浄装置１２の使用者のオペレータＩＤ１４とからなる。なお、日付については、ＣＰＵ３４の時計回路（図示せず）から履歴管理部４１が直接取得するなど、適宜方法で取得すればよい。
【００４０】
次に、図５を用いて本発明の洗浄システム１０の作用について説明を行う。なお、以下の説明では、上述したように、オペレータＡが洗浄装置１２を用いて内視鏡１１の洗浄処理を行う場合（図１参照）を例に挙げて説明を行う。
【００４１】
オペレータＡは、検査で使用された内視鏡１１を洗浄装置１２の洗浄槽１８にセットした後、スタートスイッチ２１を操作して洗浄処理を開始させる。スタートスイッチ２１が操作されると、タグリーダライタ制御部４０は、タグリーダライタ２０よりＩＤリクエストを発信させる。これにより、ＩＤリクエストに応じて各ＩＤカード１３ａ，１３ｂより発信された電波（オペレータＩＤ１４）が、タグリーダライタ２０で受信される。タグリーダライタ２０で電波が受信されると、検出回路２０ｂにより、各ＩＤカード１３ａ，１３ｂから受信した電波の電波強度の検出結果が洗浄装置１２のＣＰＵ３４に出力される。
【００４２】
タグリーダライタ制御部４０の特定部４３は、検出回路２０ｂによる検出結果に基づき、スタートスイッチ２１が操作されたときに、洗浄装置１２との距離が最短となるＩＤカードを特定する。特定部４３は、各ＩＤカード１３ａ，１３ｂから受信した電波の電波強度を比較し、最も電波強度の強いＩＤカードを洗浄装置１２との距離が最短となるＩＤカードとして特定する。本実施形態では、オペレータＡがスタートスイッチ２１の操作を行ったので、ＩＤカード１３ａからの電波の強度が最も高くなる。
【００４３】
特定部４３によりＩＤカード１３ａが特定されたら、タグリーダライタ制御部４０は、ＩＤカード１３ａのオペレータＩＤ１４をメモリ３５等に一時的に記憶し、ＩＤカード１３ｂのオペレータＩＤ１４は破棄する。また、これと同時に、洗浄装置１２にセットされた内視鏡１１の内視鏡ＩＤも同様にメモリ３５等に一時的に記憶される。このように通信距離が長いアクティブタグ（カードタグ２３）を各ＩＤカード１３ａ，１３ｂに設けることで、オペレータＡ，Ｂに何らの手間をかけさせることなく、終了通知情報１５の送信先の情報（オペレータＩＤ１４）を自動的に取得・記憶することができる。
【００４４】
このオペレータＩＤ１４の取得と同時に、進捗情報取得部３９は、スタートスイッチ２１が操作された時に、洗浄処理の開始時刻を取得してメモリ３５等に一時的に記憶する。そして、洗浄処理が終了したら、進捗情報取得部３９は、洗浄処理の終了時刻を取得してメモリ３５等に一時的に記憶するとともに、タグリーダライタ制御部４０に対して終了通知情報１５を出力する。
【００４５】
タグリーダライタ制御部４０は、終了通知情報１５が入力されたら、先に一時的に記憶したＩＤカード１３ａのオペレータＩＤ１４を終了通知情報１５に加えた後、この終了通知情報１５をタグリーダライタ２０から発信させる。タグリーダライタ２０から発信された終了通知情報１５は、ＩＤカード１３ａ以外では、受信された後、破棄される。
【００４６】
ＩＤカード１３ａは、カードタグ２３で終了通知情報１５を受信したら、液晶モニタ２６に文字メッセージ３１を表示させるとともに、スピーカ２７に音声メッセージ３２を表示させる。これにより、オペレータＡは、文字メッセージ３１と音声メッセージ３２とに基づいて、洗浄処理が終了したことを把握することができる。
【００４７】
また、洗浄処理が終了すると、履歴管理部４１は、洗浄処理が行われた日付と、先にメモリ３５等に一時的に記憶されたオペレータＩＤ１４、内視鏡ＩＤ、開始時刻、終了時刻とを、メモリ３５内の洗浄履歴テーブル４５に記憶して管理する。このように本実施形態では、オペレータＡ，Ｂに何らの手間をかけさせることなく、洗浄履歴テーブル４５の管理を行うことができる。
【００４８】
以上のように本発明の洗浄システム１０では、各オペレータＡ，Ｂが携帯しているＩＤカード１３ａ，１３ｂにアクティブタグ（カードタグ２３）を設け、洗浄装置１２にタグリーダライタ２０を設けることによって、ＩＤカード１３ａ，１３ｂを洗浄装置１２のタグリーダライタ２０に近づけることなく両者の間で無線通信を行うことができる。これにより、携帯電話機等を用いることなく、各オペレータＡ，ＢのＩＤカード１３ａ，１３ｂに対して洗浄処理の終了通知情報１５を送信することができる。カードタグ２３は、携帯電話機などと比較して安価であるため、本発明の洗浄システム１０は安価に構成することができる。また、携帯電話機と異なり、通信料がかからないため、運用コストを低く抑えることができる。
【００４９】
また、洗浄装置１２にそれぞれタグリーダライタ２０を設けることで、各ＩＤカード１３ａ，１３ｂから受信した電波の電波強度から、スタートスイッチ２１が操作された際に最も洗浄装置１２との通信距離が最短となるＩＤカードを容易に特定することができる。その結果、通信距離が最短となるＩＤカードを特定するために複雑な計算処理等が不要になるため、洗浄システム１０をより簡易且つ安価に構成することができる。
【００５０】
次に本発明の第２実施形態の洗浄システムについて説明を行う。上記第１実施形態では、洗浄装置１２のスタートスイッチ２１を操作したオペレータのみに終了通知情報１５を通知する場合を例に挙げて説明を行ったが、この第２実施形態の洗浄システムでは、洗浄処理に携わる全てのオペレータに終了通知情報１５を通知することができる。なお、第２実施形態の洗浄システムは、第１実施形態の洗浄システム１０とほぼ同じ構成であり、第１実施形態と機能・構成上同一のものについては、同一符号を付してその説明は省略する。
【００５１】
第２実施形態の洗浄装置１２の操作パネル１９は、終了通知情報１５を通知する際の通知モードを選択する際に操作される。この通知モードは、洗浄装置１２のスタートスイッチ２１を操作したオペレータのみに通知を行う個別通知モードと、洗浄処理に携わる全てのオペレータに通知を行う全員通知モードとを選択することができる。個別通知モードが選択された場合については、上記第１実施形態で説明を行ったので、ここでは説明を省略する。
【００５２】
洗浄装置１２のＣＰＵ３４の各部は、タグリーダライタ制御部４０を除いて、通知モードに関わらず上記第１実施形態で説明したように動作する。タグリーダライタ制御部４０は、全員通知モードが選択されている時に終了通知情報１５が入力された場合には、両ＩＤカード１３ａ，１３ｂ（オペレータＡ，Ｂ）を送信先として設定する。この場合には、タグリーダライタ制御部４０は、オペレータＩＤ１４をブランクにした終了通知情報１５をタグリーダライタ２０から発信させる。このようにオペレータＩＤ１４がブランクの状態のときは、両ＩＤカード１３ａ，１３ｂのそれぞれで受信した終了通知情報１５の画面・音声表示が行われる。
【００５３】
次に、図６を用いて本発明の第２実施形態の作用について説明を行う。なお、各ＩＤカード１３ａ，１３ｂのフローチャートについては先に説明した図５と同じであるため、図示は省略している。オペレータＡは、検査で使用された内視鏡１１を洗浄装置１２の洗浄槽１８にセットした後、操作パネル１９を操作して終了通知情報１５の通知モードの選択を行う。ここでは、全員通知モードが選択されたものとして説明を行う。通知モードとして全員通知モードを選択したら、オペレータＡは、スタートスイッチ２１を操作して、洗浄処理を開始させる。
【００５４】
洗浄処理が開始されると、上記第１実施形態で説明したように、ＩＤリクエスト、オペレータＩＤ１４の受信、ＩＤカードの特定、オペレータＩＤ１４・内視鏡ＩＤ・開始及び終了時刻の記憶が行われる。そして、タグリーダライタ制御部４０は、進捗情報取得部３９から終了通知情報１５が入力されたら、オペレータＩＤ１４をブランクにした終了通知情報１５をタグリーダライタ２０から発信させる。なお、通知モードとして個別通知モードが選択されている場合には、上述したように、ＩＤカード１３ａが送信先として設定される。
【００５５】
両ＩＤカード１３ａ，１３ｂは、それぞれのカードタグ２３でオペレータＩＤ１４がブランクの終了通知情報１５を受信したら、液晶モニタ２６に文字メッセージ３１を表示させるとともに、スピーカ２７に音声メッセージ３２を表示させる。これにより、オペレータＡ，Ｂは、文字メッセージ３１と音声メッセージ３２とに基づいて、洗浄処理が終了したことを把握することができる。その結果、オペレータＡが洗浄装置１２から離れた位置にいて、オペレータＢがオペレータＡよりも洗浄装置１２に近い位置にいた場合には、オペレータＢに内視鏡１１を取り出してもらうことができる。以下、第１実施形態で説明したように、洗浄履歴情報が洗浄履歴テーブル４５に記憶される。
【００５６】
次に本発明の第３実施形態の洗浄システムについて説明を行う。上記第１及び第２実施形態では、洗浄処理の進捗情報として、終了通知情報１５のみを例に挙げて説明を行ったが、第３実施形態の洗浄システムでは、洗浄処理の進捗情報として、洗浄処理が終了するまでの終了予定時間情報の通知も行う。なお、第３実施形態は、終了予定時間情報の通知を行う以外は第１実施形態と同じである。
【００５７】
終了予定時間情報の通知は、ＩＤカード１３ａ，１３ｂからの終了予定時間リクエストに応じて行われる。例えば、オペレータＡがＩＤカード１３ａの操作キー２８で終了予定時間情報のリクエスト操作を行うと、ＣＰＵ２４は、カードタグ２３から終了予定時間リクエストが発信される。なお、このリクエストには、リクエスト元を表す情報として、ＩＤカード１３ａのオペレータＩＤ１４が重畳されている。
【００５８】
進捗情報取得部３９は、洗浄処理中にタグリーダライタ２０が終了予定時間リクエストを受信したときは、洗浄処理制御部３８による洗浄ユニット４２の制御状況等に基づいて、洗浄処理の終了までに要する時間を算出し、これを終了予定時間情報としてタグリーダライタ制御部４０に出力する。
【００５９】
タグリーダライタ制御部４０は、進捗情報取得部３９から終了予定時間情報が入力されたら、終了予定時間リクエストに重畳されていたオペレータＩＤ１４を送信先として設定する。そして、タグリーダライタ制御部４０は、上述の終了通知情報１５の発信時と同様に、終了予定時間情報にＩＤカード１３ａのオペレータＩＤ１４を加えて、この終了予定時間情報をタグリーダライタ２０から発信させる。上述したように、タグリーダライタ２０から発信された終了予定時間情報は、ＩＤカード１３ａ以外では、受信された後、破棄される。
【００６０】
ＩＤカード１３ａのＣＰＵ２４は、カードタグ２３で終了予定時間情報を受信したら、メモリ２５から終了予定時間を画面表示するための文字データを読み出す。これにより、図７に示すように、液晶モニタ２６に終了予定時間情報を表す文字メッセージ３１ａが表示される。これにより、オペレータＡは、文字メッセージ３１ａを見て洗浄装置１２の終了予定時間を把握することができる。また、オペレータＢも同様にしてＩＤカード１３ｂで、洗浄装置１２の終了予定時間を把握することができる。なお、終了通知情報１５の受信時と同様に、スピーカ２７で終了予定時間情報を表す音声メッセージを音声表示させるようにしてもよい。
【００６１】
次に、図８を用いて本発明の第３実施形態の作用について説明を行う。なお、洗浄装置１２で洗浄処理が開始されるまでは、上述の図５を用いて説明を行った第１実施形態と同じ処理が行われるため、ここでは説明を省略する。
【００６２】
洗浄処理中、オペレータＡは、必要に応じて、ＩＤカード１３ａの操作キー２８で終了予定時間情報の配信要求操作を行う。これにより、ＩＤカード１３ａのカードタグ２３より終了予定時間リクエストが発信される。この終了予定時間リクエストがタグリーダライタ２０で受信されると、進捗情報取得部３９は、洗浄処理の終了予定時間情報をタグリーダライタ制御部４０に対して出力する。
【００６３】
タグリーダライタ制御部４０は、終了予定時間リクエストに重畳されていたオペレータＩＤ１４を終了予定時間情報に加えた後、この終了予定時間情報をタグリーダライタ２０から発信させる。タグリーダライタ２０から発信された終了予定時間情報は、両ＩＤカード１３ａ，１３ｂで受信されるが、ＩＤカード１３ｂでは終了予定時間情報は破棄される。
【００６４】
ＩＤカード１３ａは、カードタグ２３で終了予定時間情報を受信したら、液晶モニタ２６に文字メッセージ３１ａを表示させる。これにより、オペレータＡは、文字メッセージ３１ａを見ることで、洗浄処理の終了予定時間を把握することができる。
【００６５】
なお、上記第３実施形態では、オペレータが操作キー２８で終了予定時間情報の配信要求操作を行ったときに、終了予定時間情報がタグリーダライタ２０から発信される場合を例に説明を行ったが、本発明はこれに限定されるものではない。例えば、洗浄処理中に、タグリーダライタ２０から終了予定時間情報を定期的に発信させるようにしてもよい。この場合には、上記第２実施形態で説明したように、オペレータＩＤ１４をブランクにした終了予定時間情報が発信されるため、全てのＩＤカード１３ａ，１３ｂで文字メッセージ３１ａを表示させることができる。
【００６６】
次に本発明の第４実施形態の洗浄システム５０について説明を行う。上述の第１〜３実施形態の洗浄システムでは、洗浄装置１２が一台がしか設けられていない場合を例に挙げて説明を行ったが、本発明はこれに限定されるものではなく、洗浄装置が複数台設けられていてもよい。この場合には、全ての洗浄装置にタグリーダライタ２０を設ける必要があるため、洗浄装置を多数保有する大規模病院では、アクティブタグ（カードタグ２３）と比較して高価なタグリーダライタ２０を洗浄装置の数だけ揃えなければならず、システムのコストアップの要因となってしまう。そこで、洗浄システム５０では、洗浄装置を多数有する大規模病院等でもタグリーダライタ２０の数を最低限に抑えられるようにしている。以下、図９及び図１０を用いて洗浄システム５０について説明を行う。
【００６７】
洗浄システム５０は、大別して洗浄装置５２ａ〜５２ｃと、タグリーダライタ５３ａ〜５３ｃと、管理サーバ５４とから構成される。洗浄装置５２ａ〜５２ｃは、基本的に第１実施形態の洗浄装置１２と同じ構成である。ただし、洗浄装置５２ａ〜５２ｃの本体上面には、タグリーダライタ２０（図１参照）の代わりに装置タグ５６が設けられている。
【００６８】
装置タグ５６は、上述のカードタグ２３と同様のアクティブタグであり、各タグリーダライタ５３ａ〜５３ｃとの間で無線による情報の送受信を行う。各装置タグ５６には、アンテナ５６ａと、それぞれが設けられている洗浄装置５２ａ〜５２ｃの固有識別情報（Ｎｏ００１〜Ｎｏ００３）である装置ＩＤ５７を記憶したメモリ５６ｂとが設けられている（図１０参照）。そして、各装置タグ５６は、各タグリーダライタ５３ａ〜５３ｃから発信されるＩＤリクエストを受信したときに、装置ＩＤ５７を重畳した電波をアンテナ５６ａから発信する。
【００６９】
タグリーダライタ５３ａ〜５３ｃは、基本的に上記第１実施形態のタグリーダライタ２０と同じものである。ただし、タグリーダライタ５３ａ〜５３ｃは、各洗浄装置５２ａ〜５２ｃとは別体で、且つ異なる位置にそれぞれ配置されている。各タグリーダライタ５３ａ〜５３ｃは、各ＩＤカード１３ａ，１３ｂのカードタグ２３、各洗浄装置５２ａ〜５２ｃの装置タグ５６、内視鏡１１の内視鏡タグ１１ａとの間で、各種情報を無線により送受信する。このように、３箇所に配置された各タグリーダライタ５３ａ〜５３ｃと、各ＩＤカード１３ａ，１３ｂ及び各洗浄装置５２ａ〜５２ｃとの間で通信を行うことで、３点測量法の原理を用いて各ＩＤカード１３ａ，１３ｂ、及び各洗浄装置５２ａ〜５２ｃの位置を求めることができる。
【００７０】
管理サーバ５４は、各オペレータＡ，Ｂへの洗浄処理の進捗情報（終了通知情報１５、終了予定時間情報）の通知と、各洗浄装置５２ａ〜５２ｃの洗浄履歴情報とを管理する。この管理サーバ５４には、各洗浄装置５２ａ〜５２ｃと各タグリーダライタ５３ａ〜５３ｃとがそれぞれＬＡＮで接続されている。そして、管理サーバ５４には、ＬＡＮを介して各洗浄装置５２ａ〜５２ｃから進捗情報や、洗浄処理の開始及び終了時刻が入力される。また、管理サーバ５４には、各タグリーダライタ５３ａ〜５３ｃで受信したオペレータＩＤ１４、装置ＩＤ５７等がＬＡＮを介して入力される。
【００７１】
管理サーバ５４には、コンソール５９と、ＣＰＵ６０と、メモリ６１とが設けられている。コンソール５９は、入力機器やモニタなどから構成されている。入力機器は、例えば、マウスやキーボードなどといった周知の入力デバイスであり、ユーザからの操作指示を受け付けて、その操作指示に応じた信号をＣＰＵ６０に入力する。モニタは、ＣＰＵ６０の処理に応じて様々な画面を表示する。
【００７２】
ＣＰＵ６０は、メモリ６１などから各種プログラムを読み出し、読み出したプログラムを逐次実行することにより、管理サーバ５４の各部を統括的に制御する。このＣＰＵ６０は、上述のプログラムを実行することにより、統合操作検知部６２、統合進捗情報取得部６３、タグリーダライタ制御部６４、履歴管理部６５として機能する。
【００７３】
統合操作検知部６２には、各洗浄装置５２ａ〜５２ｃの操作検知部３７（図３参照）からＬＡＮを介して操作パネル１９の操作検知結果が入力される。統合進捗情報取得部６３には、各洗浄装置５２ａ〜５２ｃの進捗情報取得部３９（図３参照）からＬＡＮを介して洗浄処理の進捗情報や、開始及び終了時刻が入力される。なお、各洗浄装置５２ａ〜５２ｃから入力された開始及び終了時刻は、メモリ６１等に一時的に記憶される。
【００７４】
タグリーダライタ制御部６４は、各タグリーダライタ５３ａ〜５３ｃによる各種情報の送受信を制御する。このタグリーダライタ制御部６４は、位置検出部６６（位置検出手段）と特定部６７（第２特定手段）とを備えており、各洗浄装置５２ａ〜５２ｃでスタートスイッチ２１が操作された際に、この操作がなされた洗浄装置に最も近い位置に存在するＩＤカードを特定する。
【００７５】
位置検出部６６は、統合操作検知部６２で各洗浄装置５２ａ〜５２ｃのスタートスイッチ２１が操作されたことが検知されたときに、各タグリーダライタ５３ａ〜５３ｃとの通信可能範囲内に存在する全てのＩＤカード１３ａ，１３ｂの位置を検出する。
【００７６】
各ＩＤカード１３ａ，１３ｂの位置の検出は、各タグリーダライタ５３ａ〜５３ｃが、各ＩＤカード１３ａ，１３ｂから受信した電波の電波強度の検出結果に基づいて行われる。以下、オペレータＡにより洗浄装置５２ａのスタートスイッチ２１が操作された場合を例に挙げて説明を行う。
【００７７】
洗浄装置５２ａのスタートスイッチ２１がオペレータＡにより操作されて、この操作が統合操作検知部６２で検知されたときに、タグリーダライタ制御部６４は、各タグリーダライタ５３ａ〜５３ｃよりＩＤリクエストを発信させる。これにより、ＩＤリクエストに応じて各ＩＤカード１３ａ，１３ｂのカードタグ２３から発信されるオペレータＩＤ１４（電波）が各タグリーダライタ５３ａ〜５３ｃで受信される。なお、このＩＤリクエストに応じて各洗浄装置５２ａ〜５２ｃの装置タグ５６から発信される装置ＩＤ５７（電波）も、同様にして各タグリーダライタ５３ａで受信される。
【００７８】
各タグリーダライタ５３ａ〜５３ｃで電波が受信されると、それぞれの検出回路２０ｂにより、各タグリーダライタ５３ａ〜５３ｃにおいて各ＩＤカード１３ａ，１３ｂからそれぞれ受信した電波の強度が検出される。この電波強度の検出結果は、管理サーバ５４のＣＰＵ６０に入力される。
【００７９】
位置検出部６６は、各タグリーダライタ５３ａ〜５３ｃにおける各ＩＤカード１３ａ，１３ｂからの電波強度の検出結果に基づき、各タグリーダライタ５３ａ〜５３ｃのそれぞれと、各ＩＤカード１３ａ，１３ｂのそれぞれとの距離を演算する。これら各間の距離は、タグリーダライタ−カードタグ間の距離と、電波強度との関係を予め求めておくことで、電波強度の検出結果より求められる。そして、位置検出部６６は、求めた各間の距離と、既知の各タグリーダライタ５３ａ〜５３ｃとの位置に基づき、例えば３点測量や位置補正を行って各ＩＤカード１３ａ，１３ｂの位置を検出する。なお、３点測量等で位置を検出する方法は、周知であるので説明は省略する。また、位置検出部６６は、同様にして内視鏡１１の位置を検出する。そして、これら各ＩＤカード１３ａ，１３ｂ、内視鏡１１の位置の検出結果は、特定部６７に出力される。
【００８０】
特定部６７は、各ＩＤカード１３ａ，１３ｂの位置検出結果に基づき、メモリ６１内に格納されている各洗浄装置５２ａ〜５２ｃの位置を記憶した洗浄装置位置データ６８を参照して、ＩＤカード１３ａ（オペレータＡ）が洗浄装置５２ａから最短の距離に位置していることを特定する。つまり、上述の第１実施形態と同様にオペレータＡが洗浄装置１２の使用者であると特定することができる。
【００８１】
洗浄装置位置データ６８は、各洗浄装置５２ａ〜５２ｃの位置を予め求めておくことで作成される。各洗浄装置５２ａ〜５２ｃの位置は、上述のＩＤカードの位置検出と同様に、各タグリーダライタ５３ａ〜５３ｃにおける各洗浄装置５２ａ〜５２ｃからの電波強度を検出して、これら各間の距離を求めることで、３点測量等により求めることができる。各洗浄装置５２ａ〜５２ｃは、所定の位置に設置・固定されているため、移動することはない。従って、洗浄装置位置データ６８を予め作成しておくことで、洗浄処理が行われる度に各洗浄装置５２ａ〜５２ｃの位置を検出する手間を省くことができる。
【００８２】
また、特定部６７は、位置検出部６６より入力される内視鏡１１の位置に基づいて、洗浄装置５２ａ内にセットされている内視鏡１１を特定する。これらの特定部６７による特定結果に基づき、タグリーダライタ制御部６４は、各タグリーダライタ５３ａ〜５３ｃで受信したＩＤの中で、ＩＤカード１３ａのオペレータＩＤ１４、洗浄装置５２ａの装置ＩＤ５７、及び洗浄装置５２ａ内の内視鏡１１の内視鏡ＩＤのみをメモリ６１等に一時的に記憶し、他のＩＤは破棄する。
【００８３】
タグリーダライタ制御部６４は、統合進捗情報取得部６３より洗浄装置５２ａの洗浄処理の終了通知情報１５が入力されたら、上述の第１実施形態と同様に、先に一時的に記憶したＩＤカード１３ａのオペレータＩＤ１４を終了通知情報１５に加えた後、この終了通知情報１５を各タグリーダライタ５３ａ〜５３ｃ（いずれか一つでも可）から発信させる。タグリーダライタ２０から発信された終了通知情報１５は、ＩＤカード１３ａ以外では、受信された後、破棄される。なお、上記第２実施形態で説明したように、通知モードとして全員通知モードが選択されている場合には、オペレータＩＤ１４をブランクにした終了通知情報１５が各タグリーダライタ５３ａ〜５３ｃから発信される。
【００８４】
また、上記第３実施形態で説明したように、例えばＩＤカード１３ａの操作キー２８で洗浄装置５２ａの終了予定時間情報の配信要求操作が行われると、ＩＤカード１３ａのカードタグ２３より終了予定時間リクエストが発信される。この際に、ＩＤカード１３ａ〜１３ｃのメモリ２５には、洗浄装置５２ａ〜５２ｃの装置ＩＤ５７が予め記憶されており、終了予定時間情報の配信要求操作を行う際に、リクエスト先の装置ＩＤ５７が指定される。従って、ＩＤカード１３ａのカードタグ２３から発信される終了予定時間リクエストには、リクエスト元のオペレータＩＤ１４、及びリクエスト先の装置ＩＤ５７が重畳されている。
【００８５】
ＩＤカード１３ａから発信された終了予定時間リクエストが各タグリーダライタ５３ａ〜５３ｃで受信されたら、統合進捗情報取得部６３は、リクエスト先の洗浄装置５２ａの洗浄処理の終了予定時間情報をタグリーダライタ制御部６４に出力する。これにより、上述の第３実施形態で説明したように、タグリーダライタ制御部６４は、ＩＤカード１３ａのオペレータＩＤ１４を終了予定時間情報に加えた後、この終了予定時間情報を各タグリーダライタ５３ａ〜５３ｃから発信させる。これにより、ＩＤカード１３ａでのみ終了予定時間情報を表す文字メッセージ３１ａ（図７参照）が表示される。
【００８６】
履歴管理部６５は、各洗浄装置５２ａ〜５２ｃのそれぞれの洗浄履歴情報を、装置別に分類してメモリ６１内の洗浄履歴テーブル６９に記憶する。図１１に示すように、洗浄履歴テーブル６９に記憶される各洗浄装置５２ａ〜５２ｃの洗浄履歴情報は、上記第１実施形態（図４参照）と同じである。
【００８７】
次に、図１２を用いて本発明の第４実施形態の洗浄システム５０の作用について説明する。なお、各ＩＤカード１３ａ，１３ｂのフローチャートについては先に説明した図８と同じであるため、図示は省略している。また、以下の説明では、上述したように、オペレータＡが洗浄装置５２ａを用いて内視鏡１１の洗浄処理を行う場合（図９参照）を例に挙げて説明を行う。
【００８８】
オペレータＡは、検査で使用された内視鏡１１を洗浄装置５２ａの洗浄槽１８にセットした後、スタートスイッチ２１を操作して洗浄処理を開始させる。スタートスイッチ２１が操作されると、タグリーダライタ制御部６４は、各タグリーダライタ５３ａ〜５３ｃよりＩＤリクエストを発信させる。そして、このＩＤリクエストに応じて各ＩＤカード１３ａ，１３ｂ及び各洗浄装置５２ａ〜５２ｃから発信された電波（オペレータＩＤ１４、装置ＩＤ５７）が、各タグリーダライタ５３ａ〜５３ｃで受信される。各タグリーダライタ５３ａ〜５３ｃで電波が受信されると、それぞれの検出回路２０ｂにより、各ＩＤカード１３ａ，１３ｂからの電波の強度の検出結果が管理サーバ５４のＣＰＵ６０に入力される。
【００８９】
位置検出部６６は、各タグリーダライタ５３ａ〜５３ｃの検出回路２０ｂより入力される電波強度の検出結果に基づき、各タグリーダライタ５３ａ〜５３ｃのそれぞれと、各ＩＤカード１３ａ，１３ｂのそれぞれとの距離を演算し、この演算結果に基づき３点測量等を行って各ＩＤカード１３ａ，１３ｂの位置を検出する。また、これと同時に内視鏡１１の位置検出も行われる。これらＩＤカード１３ａ，１３ｂ、内視鏡１１の位置の検出結果は、特定部６７に出力される。
【００９０】
特定部６７は、各ＩＤカード１３ａ，１３ｂの位置検出結果に基づき、メモリ６１内の洗浄装置位置データ６８を参照して、ＩＤカード１３ａが洗浄装置５２ａから最短の距離に位置していることを特定する。また、これと同時に、洗浄装置５２ａ内にセットされている内視鏡１１も特定される。そして、この特定部６７による特定結果に基づき、タグリーダライタ制御部６４は、ＩＤカード１３ａのオペレータＩＤ１４、洗浄装置５２ａの装置ＩＤ５７、及び洗浄装置５２ａ内の内視鏡１１の内視鏡ＩＤのみをメモリ６１等に一時的に記憶し、他のＩＤは破棄する。
【００９１】
以下、上述の第１〜第３実施形態で説明したように、タグリーダライタ制御部６４は、洗浄処理中に終了予定時間リクエストが行われた場合には、各タグリーダライタ５３ａ〜５３ｃより終了予定時間情報を発信させるとともに、洗浄処理が終了した場合には、各タグリーダライタ５３ａ〜５３ｃより終了通知情報１５を発信させる。そして、洗浄処理が終了したら、履歴管理部６５は、洗浄装置５２ａの洗浄履歴情報（日付、開始時刻、終了時刻、内視鏡ＩＤ、オペレータＩＤ１４）を、メモリ６１内の洗浄履歴テーブル６９に記憶して管理する。
【００９２】
以上のように本発明の第４実施形態の洗浄システム５０では、各洗浄装置５２ａ〜５２ｃにそれぞれタグリーダライタを設ける必要が無くなるので、特に洗浄装置を多数有している大規模病院においてシステムのコストアップを防止することができる。なお、設置するリーダライタの数は３点測量には３つで十分であるが、位置検出の精度をあげるため４つ以上であってもよい。
【００９３】
なお、上記第４の実施形態では、ＩＤカード１３ａ（１３ｂも同様）から１台の洗浄装置の終了予定時間情報の配信要求を行う場合を例に挙げて説明を行ったが、本発明はこれに限定されるものではない。例えば、全ての洗浄装置５２ａ〜５２ｃの終了予定時間情報の配信要求を行ってもよく、この場合には、ＩＤカード１３ａ，１３ｂの液晶モニタ２６に全ての洗浄装置５２ａ〜５２ｃの終了予定時間情報が並べて画面表示される。
【００９４】
次に本発明の第５実施形態の洗浄システムについて説明を行う。上記第１〜第４実施形態では、タグリーダライタから洗浄処理の進捗情報（終了通知情報、終了予定時間情報）のみを発信しているが、この第５実施形態では、洗浄処理が終了して内視鏡１１が洗浄装置から取り出されたら、全てのＩＤカード（オペレータ）に対して、内視鏡１１の取出し情報、及び洗浄装置の空きを示す空き情報を送信する。この第５実施形態の洗浄システムは、上述の第１〜第４実施形態の洗浄システムとほぼ同じ構成であるので、ここでは、上述の図１及び図３を用いて説明を行う。
【００９５】
タグリーダライタ制御部４０は、上述の検知センサ１８ａの検知結果に基づき、終了通知情報１５の発信後に内視鏡１１が洗浄装置１２から取り出されたか否かを把握することができる。そして、タグリーダライタ制御部４０は、終了通知情報１５の発信後に内視鏡１１が取り出されたことが検知されたら、上述の第２実施形態における全員通知モードの選択時と同様に、オペレータＩＤ１４をブランクにした内視鏡１１の取出し情報、及び洗浄装置１２の空き情報をタグリーダライタ２０から発信させる。これにより、全てのＩＤカード１３ａ，１３ｂで取出し情報及び空き情報の画面・音声表示が行われる。
【００９６】
また、第５実施形態の履歴管理部４１は、終了通知情報１５の発信の有無に関わらず、洗浄装置１２から内視鏡１１を取り出したオペレータのオペレータＩＤ１４をメモリ３５内の取出し履歴テーブル（図示せず）に記憶させる。この場合には、タグリーダライタ制御部４０はタグリーダライタ２０からリクエストＩＤを再度発信させるとともに、特定部４３は洗浄装置１２からの距離が最短となるＩＤカードを特定する。そして、履歴管理部４１は、特定部４３で特定されたＩＤカードのオペレータＩＤ１４を取出し履歴テーブルに記憶する。なお、取出し履歴テーブルに記憶させずに、上述の洗浄履歴テーブル４５に取出し者のオペレータＩＤ１４を記憶させるようにしてもよい。
【００９７】
次に、図１３を用いて本発明の第５実施形態の洗浄システムの作用について説明を行う。なお、タグリーダライタから終了通知情報１５が発信されるまでは、上記第１実施形態と同じであるため、説明は省略する。なお、第２〜第４実施形態に第５実施形態を適用した場合も同様であるため、ここでは説明を省略する。
【００９８】
例えばオペレータＡは、ＩＤカード１３ａで終了通知情報１５が表示されたら、洗浄装置１２から内視鏡１１を取り出す。この内視鏡１１が取り出されたことが検知センサ１８ａによって検知されると、タグリーダライタ制御部４０は、オペレータＩＤ１４をブランクにした内視鏡１１の取出し情報、及び洗浄装置１２の空き情報をタグリーダライタ２０から発信させる。これにより、全てのＩＤカード１３ａ，１３ｂで取出し情報及び空き情報が表示される。その結果、洗浄装置１２から離れた場所にいる者も、洗浄装置１２が空いたことを容易に把握することができる。このため、時間間隔を空けずに洗浄装置１２を使用することができ、洗浄装置１２の稼働率を上げることができる。
【００９９】
また、内視鏡１１が取り出されたことが検知センサ１８ａによって検知されると、タグリーダライタ制御部４０はタグリーダライタ２０からリクエストＩＤを再度発信させる。このリクエストＩＤに応じて各ＩＤカード１３ａ，１３ｂから発信された電波（オペレータＩＤ１４）がタグリーダライタ２０で受信されると、特定部４３は、洗浄装置１２からの距離が最短となるＩＤカードを特定する。そして、履歴管理部４１は、特定部４３で特定されたＩＤカードのオペレータＩＤ１４を取出し履歴テーブルに記憶する。これにより、誰が洗浄装置１２から内視鏡１１を取り出したのかを容易に把握することができる。
【０１００】
なお、上記第１〜第４実施形態では、各オペレータＡ，Ｂにそれぞれ一枚ずつカードタグ２３付きのＩＤカード１３ａ，１３ｂが貸与されている場合を例に挙げて説明を行ったが、本発明はこれに限定されるものではない。例えば、オペレータが多数在籍する大規模病院では、カードタグ２３付きのＩＤカードをオペレータの数だけ揃えなければならず、システムのコストアップの要因となってしまう。そこで、ＩＤカード７１（図１４参照）のカードタグ２３に任意のオペレータＩＤ１４を登録可能にすることで、複数のオペレータの間で一枚のカードタグ２３付きのＩＤカードを使い回せるようにしてもよい。
【０１０１】
図１４に示すように、ＩＤカード７１のカードタグ２３にオペレータＩＤ１４を登録する場合には、洗浄装置７２から登録する方法と、ＩＤカード７１にオペレータＩＤ１４を直接入力する方法がある。洗浄装置７２は、上述の第１実施形態の洗浄装置１２と基本的に同じである。ただし、洗浄装置７２の操作パネル１９には、オペレータＩＤ１４を入力するためのＩＤ入力キー７３が設けられている。
【０１０２】
ＩＤカード７１を携帯したオペレータが、ＩＤ入力キー７３でオペレータＩＤ１４の入力を行うと、タグリーダライタ制御部４０は、タグリーダライタ２０からリクエストＩＤを発信させる。そして、このリクエストＩＤに応じて、ＩＤカード７１からオペレータＩＤ１４が重畳された電波が発信される。なお、ＩＤカード７１から発信されるオペレータＩＤ１４は、先の使用者のオペレータＩＤ１４、もしくは、新たなオペレータＩＤ１４が登録されるまでの仮のオペレータＩＤ１４である。
【０１０３】
特定部４３は、ＩＤカード７１から発信される電波をタグリーダライタ２０で受信した結果に基づき、上述したように、洗浄装置７２との通信距離が最短となるＩＤカードを特定する。この場合には、オペレータＩＤ１４の入力を行ったオペレータが携帯しているＩＤカード７１が特定される。そして、この特定結果に基づき、タグリーダライタ制御部４０は、ＩＤカード７１を送信先と設定して、先に入力されたオペレータＩＤ１４の情報をタグリーダライタ２０より発信させる。
【０１０４】
ＩＤカード７１のＣＰＵ２４は、カードタグ２３で新たなオペレータＩＤ１４を受信したら、この新たなオペレータＩＤ１４をカードタグ２３のメモリ２３ｂに登録する。なお、カードタグ２３のメモリ２３ｂにオペレータＩＤ１４が既に登録されている場合には、このオペレータＩＤ１４が上書きされる。
【０１０５】
また、オペレータがＩＤカード７１の操作キー２８を操作してオペレータＩＤ１４を直接入力した場合にも、ＩＤカード７１のＣＰＵ２４は、入力された新たなオペレータＩＤ１４をカードタグ２３のメモリ２３ｂに登録する。
【０１０６】
このように、ＩＤカード７１のカードタグ２３に任意のオペレータＩＤ１４を登録可能にすることで、カードタグ２３（アクティブタグ）付きのＩＤカード７１をオペレータの人数分だけ揃える必要が無くなるので、洗浄システムをより安価に構成することができる。
【０１０７】
なお、図１４において符号７５は振動を発生する振動発生器である。この振動発生器７５は、カードタグ２３で進捗情報（終了通知情報１５、終了予定時間情報）が受信されたときに振動することで、ＩＤカード７１を携帯するオペレータに対して進捗情報の受信を知らせることができる。
【０１０８】
なお、上記各実施形態では、ＩＤカード１３ａ，１３ｂのカードタグ２３に、ＩＤ情報としてオペレータＩＤが記憶されている場合を例に挙げて説明を行ったが、本発明はこれに限定されるものではなく、カード番号等の各種ＩＤ情報が記憶されていてもよい。
【０１０９】
また、上記各実施形態では、本発明の携帯端末としてネームプレート型のＩＤカードを例に挙げて説明を行ったが、本発明はこれに限定されるものではなく、医療機器等の誤作動を防止できれば各種の携帯端末を用いてもよい。
【０１１０】
なお、上記各実施形態では、洗浄履歴テーブル４５，６９に洗浄履歴情報として、日付、開始及び終了時刻、内視鏡ＩＤ、オペレータＩＤ１４を記憶する場合を例に挙げて説明を行ったが、本発明はこれに限定されるものではなく、オペレータＩＤ１４または内視鏡ＩＤのみを洗浄履歴情報として記憶するようにしてもよい。
【０１１１】
なお、上記第１〜第３実施形態では、各ＩＤカード１３ａ，１３ｂのカードタグ２３から発信される電波の強度に基づいて、洗浄装置１２からの距離が最短のＩＤカードを特定しているが、本発明はこれに限定されるものではない。例えば、各ＩＤカード１３ａ，１３ｂのカードタグ２３から発信される電波が洗浄装置１２（タグリーダライタ２０）に到達する到達時間に基づいて、洗浄装置１２からの距離が最短のＩＤカードを特定するようにしてもよい。電波の到達時間は、例えば、タグリーダライタ２０からＩＤリクエストが発信されてから、各ＩＤカード１３ａ，１３ｂから発信される電波がタグリーダライタ２０で受信されるまでの時間を計測することで求められる。そして、最も電波到達時間が短くなるＩＤカードを、洗浄装置１２からの距離が最短のＩＤカードとして特定することができる。
【０１１２】
また、上記第４実施形態においては、各タグリーダライタ５３ａ〜５３ｃにおける各ＩＤカード１３ａ，１３ｂからの電波の到達時間の検出結果に基づき、各タグリーダライタ５３ａ〜５３ｃのそれぞれと、各ＩＤカード１３ａ，１３ｂのそれぞれとの距離を演算してしてもよい。これら各間の距離は、タグリーダライタ−カードタグ間の距離と、電波到達時間との関係を予め求めておくことで、電波到達時間の検出結果より求められる。
【０１１３】
なお、上記第１〜第３実施形態では、洗浄装置が一台しか設置されていない場合を例に挙げて説明を行ったが、本発明はこれに限定されるものではなく、複数台設置されていてもよい。洗浄装置が複数台設置されている場合でも、上記第１〜第３実施形態で説明したように、個々の洗浄装置ごとにＩＤリクエスト、終了通知情報、終了予定時間情報の配信が行われる。この際に、各ＩＤカード１３ａ、１３ｂから各洗浄装置のいずれかに対して終了予定時間情報の配信要求を行う場合には、上記第４実施形態で説明したように、各ＩＤカードＩＤ１３ａ，１３ｂのメモリ２５に各洗浄装置の装置ＩＤを予め記憶させておく。これにより、各ＩＤカード１３ａ，１３ｂから発信される終了予定時間リクエストには、リクエスト元のオペレータＩＤ、リクエスト先の装置ＩＤが重畳されるため、リクエスト元のＩＤカードでのみ終了予定時間情報を表示することができる。
【０１１４】
なお、上記各実施形態では、内視鏡に洗浄、消毒、すすぎを施す洗浄装置を例に挙げて説明を行ったが、本発明は、リプロセス処理として洗浄、消毒、滅菌の少なくともいずれか一つを行うリプロセス装置にも適用可能である。
【図面の簡単な説明】
【０１１５】
【図１】本発明の第１実施形態の洗浄システムの構成を概略的に示す説明図である。
【図２】ＩＤカードの正面図である。
【図３】第１実施形態の洗浄システムの電気的構成を示すブロック図である。
【図４】洗浄履歴情報を記憶する洗浄履歴テーブルの一例を説明するための説明図である。
【図５】第１実施形態の洗浄システムにおける終了通知情報の通知処理を説明するためのフローチャートである。
【図６】終了通知情報の通知モードとして個別通知モード、全員通知モードが選択可能な第２実施形態の洗浄システムにおける終了通知情報の通知処理を説明するためのフローチャートである。
【図７】ＩＤカードが洗浄装置の洗浄処理の終了予定時間情報を受信したときの状態を説明するための説明図である。
【図８】洗浄処理の終了予定時間情報を通知可能な第３実施形態の洗浄システムにおける終了通知情報の通知処理を説明するためのフローチャートである。
【図９】本発明の第４実施形態の洗浄システムの構成を概略的に示す説明図である。
【図１０】第４実施形態の洗浄システムの電気的構成を示すブロック図である。
【図１１】第４実施形態における洗浄履歴テーブルの一例を説明するための説明図である。
【図１２】第４実施形態の洗浄システムにおける進捗情報（終了通知情報、終了予定時間情報）の通知処理を説明するためのフローチャートである。
【図１３】内視鏡の取出し情報、洗浄装置の空き情報を通知するとともに、内視鏡の取出し履歴を記憶する第５実施形態の洗浄システムにおける通知処理及び記憶処理を説明するためのフローチャートである。
【図１４】ＩＤカードのカードタグに任意のＩＤ情報を登録可能にした洗浄装置及びＩＤカードの構成を概略的に示す説明図である。
【符号の説明】
【０１１６】
１０，５０  洗浄システム
１１  内視鏡
１２，５２ａ〜５２ｃ，７２  洗浄装置
１３ａ，１３ｂ，７１  ＩＤカード
１４  オペレータＩＤ
２０，５３ａ〜５３ｃ  タグリーダライタ
２１  スタートスイッチ
２３  カードタグ
２５  液晶モニタ
２６  スピーカ
３９  進捗情報取得部
４０，６４  タグリーダライタ制御部
４１，６５  履歴管理部
４３，６７  特定部
４５，６９  洗浄履歴テーブル
５４  管理サーバ
５７  装置ＩＤ
６６  位置検出部
Ａ，Ｂ  オペレータ
【図１】
2009142458.tif 000003
【図２】
2009142458.tif 000004
【図３】
2009142458.tif 000005
【図４】
2009142458.tif 000006
【図５】
2009142458.tif 000007
【図６】
2009142458.tif 000008
【図７】
2009142458.tif 000009
【図８】
2009142458.tif 000010
【図９】
2009142458.tif 000011
【図１０】
2009142458.tif 000012
【図１１】
2009142458.tif 000013
【図１２】
2009142458.tif 000014
【図１３】
2009142458.tif 000015
【図１４】
2009142458.tif 000016